(57)【要約】【課題】  回路ユニットが発熱体の影響を受けないようにすることができる電子機器を提供する。【解決手段】  第１の筐体９が第１のＡＣ−ＤＣ変換アダプタ１２ａと第２のＡＣ−ＤＣ変換アダプタ１２ｂとの間に位置するように第１の筐体９と第１、第２のＡＣ−ＤＣ変換アダプタ１２ａ、１２ｂとが所定の方向に並べて配置され、且つ、第１の筐体９がシャーシ２０に所定の断熱部材２５を介して配置され、且つ、第１、第２のＡＣ−ＤＣ変換アダプタ１２ａ、１２ｂがシャーシ２０に接触するように配置されている。従って、コンピュータユニット１１が第１、第２のＡＣ−ＤＣ変換アダプタ１２ａ、１２ｂによる熱の影響を受けないようにすることができる。【選択図】        図３
2019220225.tif 000002
【特許請求の範囲】
【請求項１】
第１の発熱体を介して電源が供給される第１の回路ユニットと、
第２の発熱体を介して電源が供給されるとともに第１の筐体に覆われた第２の回路ユニットと、
少なくとも前記第１の発熱体と前記第２の発熱体と前記第１の筐体とを収納する第２の筐体と、
を備え、
前記第１の筐体が前記第１の発熱体と前記第２の発熱体との間に位置するように前記第１の筐体と前記第１の発熱体と前記第２の発熱体とが所定の方向に並べて配置され、且つ、前記第１の筐体が所定の熱伝導路上に所定の断熱部材を介して配置され、且つ、前記第１の発熱体と前記第２の発熱体とが前記熱伝導路に接触するように配置されていることを特徴とする電子機器。
【請求項２】
前記第１の筐体の内部に配置されるとともに気流を発生させるファンを備え、
前記第１の筐体は、前記ファンが前記第１の筐体外に発生させる気流の向きが前記所定の方向に対して直交する向きとなるように配置されていることを特徴とする請求項１に記載の電子機器。
【請求項３】
前記第２の筐体は、前記ファンが発生させる気流の流路を確保するための吸気口と排気口とが、前記所定の方向に対して直交する方向に貫通するよう設けられていることを特徴とする請求項２に記載の電子機器。
【請求項４】
前記第２の筐体の少なくとも一部が前記熱伝導路として構成されていることを特徴とする請求項１から３の何れかに記載の電子機器。
【請求項５】
前記第１の発熱体または前記第２の発熱体はＡＣ−ＤＣ変換アダプタとして構成されていることを特徴とする請求項１から４の何れかに記載の電子機器。
【請求項６】
前記第１の筐体と前記第１の発熱体との間に設けられた第１の仕切部材と、
前記第１の筐体と前記第２の発熱体との間に設けられた第２の仕切部材と、
を備えたことを特徴とする請求項１から５の何れかに記載の電子機器。
【請求項７】
第１のＡＣ−ＤＣ変換アダプタを介して電源が供給されるディスプレイユニットと、
第２のＡＣ−ＤＣ変換アダプタを介して電源が供給されるとともに第１の筐体に覆われたコンピュータユニットと、
少なくとも前記第１のＡＣ−ＤＣ変換アダプタと前記第２のＡＣ−ＤＣ変換アダプタと前記第１の筐体とを収納する第２の筐体と、
を備え、
前記第１の筐体が前記第１のＡＣ−ＤＣ変換アダプタと前記第２のＡＣ−ＤＣ変換アダプタとの間に位置するように前記第１の筐体と前記第１のＡＣ−ＤＣ変換アダプタと前記第２のＡＣ−ＤＣ変換アダプタとが所定の方向に並べて配置され、且つ、前記第１の筐体が所定の熱伝導路上に所定の断熱部材を介して配置され、且つ、前記第１のＡＣ−ＤＣ変換アダプタと前記第２のＡＣ−ＤＣ変換アダプタとが前記熱伝導路に接触するように配置されていることを特徴とする電子機器。
【発明の詳細な説明】
【技術分野】
【０００１】
この発明は、ＡＣ−ＤＣ変換アダプタなどの発熱体を備えたパーソナルコンピュータなどの電子機器に関する。
【背景技術】
【０００２】
例えば、電子機器においては、特許文献１に記載されているように、筐体内に、発熱体であるＡＣアダプタを収容するアダプタ収容部と、ファンを収容する金属製のファンケーシングとが設けられた構成のものが知られている。
【先行技術文献】
【特許文献】
【０００３】
【特許文献１】特開２０１４−１７４９７９号公報
【０００４】
この種の電子機器は、ファンケーシングに受熱部をアダプタ収容部に向けて延長させて設け、このアダプタ収容部にＡＣアダプタを収容した際に、ＡＣアダプタがファンケーシングから延長された受熱部に接触することにより、ＡＣアダプタの熱を受熱部によってファンケーシングに導くように構成されている。
【発明の概要】
【発明が解決しようとする課題】
【０００５】
しかしながら、このような電子機器では、ＡＣアダプタの熱を受熱部によってファンケーシングに導いて、ファンケーシング内のファンによって放熱することができても、筐体内の回路ユニットがＡＣアダプタの熱による影響を受け易いという問題がある。
【０００６】
この発明が解決しようとする課題は、回路ユニットが発熱体の影響を受けないようにすることができる電子機器を提供することである。
【課題を解決するための手段】
【０００７】
この発明は、第１の発熱体を介して電源が供給される第１の回路ユニットと、第２の発熱体を介して電源が供給されるとともに第１の筐体に覆われた第２の回路ユニットと、少なくとも前記第１の発熱体と前記第２の発熱体と前記第１の筐体とを収納する第２の筐体と、を備え、
前記第１の筐体が前記第１の発熱体と前記第２の発熱体との間に位置するように前記第１の筐体と前記第１の発熱体と前記第２の発熱体とが所定の方向に並べて配置され、且つ、前記第１の筐体が所定の熱伝導路上に所定の断熱部材を介して配置され、且つ、前記第１の発熱体と前記第２の発熱体とが前記熱伝導路に接触するように配置されていることを特徴とする電子機器である。
【発明の効果】
【０００８】
この発明によれば、回路ユニットが発熱体による熱の影響を受けないようにすることができる。
【図面の簡単な説明】
【０００９】
【図１】この発明を適用した電子機器の一実施形態を示した正面図である。
【図２】図１に示された電子機器のＡ−Ａ矢視における断面図である。
【図３】図２に示された電子機器のＢ−Ｂ矢視における要部を示した拡大断面図である。
【図４】図３に示された電子機器の要部におけるＡ部を示した拡大断面図である。
【発明を実施するための形態】
【００１０】
以下、図１〜図４を参照して、この発明を適用した電子機器の一実施形態について説明する。
この電子機器は、図１および図２に示すように、パーソナルコンピュータなどのデータ処理装置であり、ディスプレイユニット１と、このディスプレイユニット１の背面に取り付けられてディスプレイユニット１を支持する支持部材２と、を備えている。
【００１１】
ディスプレイユニット１は、図１および図２に示すように、入力表示パネル３と、この入力表示パネル３の背面にこれを覆って設けられたユニットカバー４と、を備えている。入力表示パネル３は、表示パネルと、この表示パネルの前面に配置された透明なタッチ入力パネル（いずれも図示せず）と、これらが組み込まれるパネルケース３ａと、を備え、タッチ入力パネルの前面が露出された状態でパネルケース３ａの背面にユニットカバー４が取り付けられるように構成されている。
【００１２】
この場合、表示パネルは、図示しないが、液晶表示パネルやＥＬ（エレクトロ・ルミネッセンス）表示パネル、またはプラズマ表示パネルなどの平面型の表示パネルであり、電気光学的に情報を表示するように構成されている。透明なタッチ入力パネルは、タッチ操作によって表示パネルに表示された表示を切り替えたり、情報を入力したりするように構成されている。
【００１３】
これにより、ディスプレイユニット１は、図１および図２に示すように、入力表示パネル３の背面にユニットカバー４が取り付けられた状態で、入力表示パネル３の表示パネルに表示された情報を見ながら、入力表示パネル３の透明なタッチ入力パネルをタッチ操作することにより、表示パネルの表示が切り替わったり、情報が入力されたりするように構成されている。
【００１４】
一方、支持部材２は、図１および図２に示すように、台座部５とアーム部６とヒンジ部７と取付部８とを備えている。台座部５は、後述する第２の筺体１０を備え、全体がほぼ台形の箱状に形成されている。この台座部５は、図１における左右方向の長さがディスプレイユニット１の左右方向の長さよりも短く形成されている。この台座部５の前面には、操作部５ａが設けられている。
【００１５】
アーム部６は、図１および図２に示すように、台座部５の後端部から台座部５の前側上方に向けて傾斜した状態で、台座部５の後端部に起立して設けられている。このアーム部６は、図１における左右方向の長さが台座部５の左右方向の長さと同じ長さで、台座部５と同様、ディスプレイユニット１の左右方向の長さよりも短く形成されている。
【００１６】
ヒンジ部７は、図２に示すように、アーム部６の先端上部に取り付けられたヒンジ固定部７ａと、このヒンジ固定部７ａに回転可能に取り付けられたヒンジ回転部７ｂと、このヒンジ回転部７ｂの一部を露出させた状態でヒンジ固定部７ａおよびヒンジ回転部７ｂを覆うヒンジカバー７ｃと、を備えている。
【００１７】
この場合、ヒンジカバー７ｃは、図２に示すように、ほぼ円筒状に形成され、その長さがアーム部６の左右方向の長さとほぼ同じ長さに形成されている。ヒンジ回転部７ｂは、ヒンジカバー７ｃ内の両側に配置され、この状態でヒンジ固定部７ａに対して所定の負荷をもって回転するように構成されている。
【００１８】
取付部８は、図２に示すように、ほぼ四角形状の金属板からなり、ヒンジ部７のヒンジ回転部７ｂに取り付けられ、このヒンジ回転部７ｂと共に上下方向に回転するように構成されている。この取付部８は、その左右方向の長さがアーム部６の左右方向の長さとほぼ同じ長さで、ディスプレイユニット１の左右方向の長さよりも短い長さで形成されている。
【００１９】
また、この取付部８は、図２に示すように、その上下方向の長さが左右方向の長さよりも短い長さで、ディスプレイユニット１の上下方向の長さよりも短い長さで形成されている。このため、この取付部８は、ディスプレイユニット１の背面、つまり金属製のパネルケース３ａのほぼ中央部分に位置する箇所に取り付けられるように構成されている。
【００２０】
これにより、支持部材２は、図１および図２に示すように、取付部８がディスプレイユニット１の背面に取り付けられて、アーム部６がディスプレイユニット１を台座部５の前側上方に起立させて支持し、この状態でディスプレイユニット１がヒンジ部７を中心に前後方向に回転するように構成されている。
【００２１】
ところで、支持部材２の台座部５は、図１〜図４に示すように、合成樹脂製の第２の筺体１０を備えている。この第２の筺体１０の内部には、第１の筺体９と、この第１の筺体９で覆われたコンピュータユニット１１と、第１、第２の発熱体である第１、第２のＡＣ−ＤＣ変換アダプタ１２ａ、１２ｂと、第１の筺体９内に設けられた放熱ファン１３と、が設けられている。コンピュータユニット１１は、データ処理装置の回路全般を制御して駆動するものであり、第１の筺体９で覆われた状態で、第２の筺体１０内に、その左右方向の両側部を除いて、ほぼ全域に配置されている。
【００２２】
第１、第２の発熱体である第１、第２のＡＣ−ＤＣ変換アダプタ１２ａ、１２ｂは、図３および図４に示すように、第２の筺体１０内におけるコンピュータユニット１１の左右方向における両側に配置されている。すなわち、第１のＡＣ−ＤＣ変換アダプタ１２ａは、ディスプレイユニット１に電源を供給するためのものであり、コンピュータユニット１１の右側に配置されている。第２のＡＣ−ＤＣ変換アダプタ１２ｂは、コンピュータユニット１１に電源を供給するためのものであり、コンピュータユニット１１の左側に配置されている。
【００２３】
この場合、コンピュータユニット１１と第１のＡＣ−ＤＣ変換アダプタ１２ａとの間には、第１のＡＣ−ＤＣ変換アダプタ１２ａとコンピュータユニット１１との間で熱を遮断するための合成樹脂製の第１の仕切部材１４ａが設けられている。また、コンピュータユニット１１と第２のＡＣ−ＤＣ変換アダプタ１２ｂとの間には、第２のＡＣ−ＤＣ変換アダプタ１２ｂとコンピュータユニット１１との間で熱を遮断するための合成樹脂製の第２の仕切部材１４ｂが設けられている。
【００２４】
これら第１、第２の仕切部材１４ａ、１４ｂは、図３および図４に示すように、左右が異なる構成であるほかは、同じ構成になている。すなわち、第１の仕切部材１４ａは、コンピュータユニット１１の第１の筺体９と第１のＡＣ−ＤＣ変換アダプタ１２ａとの間にほぼ垂直に配置される仕切本体部１５と、この仕切本体部１５の上端部に設けられてコンピュータユニット１１と第１のＡＣ−ＤＣ変換アダプタ１２ａとの各上方に配置される上側仕切部１６と、で構成されている。
【００２５】
この第１の仕切部材１４ａの仕切本体部１５には、図３および図４に示すように、コンピュータユニット１１と第１のＡＣ−ＤＣ変換アダプタ１２ａとの間で熱を遮断する熱遮断部１７が設けられている。すなわち、仕切本体部１５は、コンピュータユニット１１の側面に第１の筺体９を介して対応する回路仕切部１５ａと、第１のＡＣ−ＤＣ変換アダプタ１２ａの側面に対応するアダプタ仕切部１５ｂと、回路仕切部１５ａおよびアダプタ仕切部１５ｂの各下端部間に設けられた下部仕切部１５ｃと、を備え、回路仕切部１５ａとアダプタ仕切部１５ｂとの間が上方に開放された構成になっている。
【００２６】
これにより、仕切本体部１５は、図３および図４に示すように、回路仕切部１５ａ、アダプタ仕切部１５ｂおよび下部仕切部１５ｃで囲われた空間が、熱遮断部１７として形成されている。すなわち、この熱遮断部１７は、回路仕切部１５ａ、アダプタ仕切部１５ｂおよび下部仕切部１５ｃで囲われた空間が空気層として形成され、この空気層によってコンピュータユニット１１と第１のＡＣ−ＤＣ変換アダプタ１２ａとの間で熱を遮断するように構成されている。
【００２７】
同様に、第２の仕切部材１４ｂは、図３に示すように、コンピュータユニット１１の第１の筺体９と第２のＡＣ−ＤＣ変換アダプタ１２ｂとの間にほぼ垂直に配置される仕切本体部１５と、この仕切本体部１５の上端部に設けられてコンピュータユニット１１と第２のＡＣ−ＤＣ変換アダプタ１２ｂとの各上方に配置される上側仕切部１６と、で構成されている。
【００２８】
この第２の仕切部材１４ｂの仕切本体部１５にも、図３に示すように、コンピュータユニット１１と第２のＡＣ−ＤＣ変換アダプタ１２ｂとの間で熱を遮断する熱遮断部１７が設けられている。すなわち、この仕切本体部１５も、コンピュータユニット１１の側面に第１の筺体９を介して対応する回路仕切部１５ａと、第２のＡＣ−ＤＣ変換アダプタ１２ｂの側面に対応するアダプタ仕切部１５ｂと、回路仕切部１５ａおよびアダプタ仕切部１５ｂの各下端部間に設けられた下部仕切部１５ｃと、を備え、回路仕切部１５ａとアダプタ仕切部１５ｂとの間が上方に開放された構成になっている。
【００２９】
この場合にも、仕切本体部１５は、図３に示すように、回路仕切部１５ａ、アダプタ仕切部１５ｂおよび下部仕切部１５ｃで囲われた空間が、熱遮断部１７として形成されている。すなわち、この熱遮断部１７も、回路仕切部１５ａ、アダプタ仕切部１５ｂおよび下部仕切部１５ｃで囲われた空間が空気層として形成され、この空気層によってコンピュータユニット１１と第２のＡＣ−ＤＣ変換アダプタ１２ｂとの間で熱を遮断するように構成されている。
【００３０】
また、第１、第２の仕切部材１４ａ、１４ｂの各仕切本体部１５の回路仕切部１５ａとコンピュータユニット１１の第１の筺体９との間には、図３および図４に示すように、第１のクッション材１８ａ、１８ｂが配置されている。この第１のクッション材１８ａ、１８ｂは、シリコーンゴムなどの耐熱性を有する弾性材料で形成されている。これにより、コンピュータユニット１１は、第１の筺体９を介して第１のクッション材１８ａ、１８ｂに弾力的に接触することにより、仕切本体部１５に直接接触しないように構成されている。
【００３１】
また、第１、第２の仕切部材１４ａ、１４ｂの各仕切本体部１５のアダプタ仕切部１５ｂと第１、第２のＡＣ−ＤＣ変換アダプタ１２ａ、１２ｂとの間には、図３および図４に示すように、第２のクッション材１９ａ、１９ｂが配置されている。この第２のクッション材１９ａ、１９ｂは、第１のクッション材１８ａ、１８ｂと同様、シリコーンゴムなどの耐熱性を有する弾性材料で形成されている。これにより、第１、第２のＡＣ−ＤＣ変換アダプタ１２ａ、１２ｂは、第２のクッション材１９ａ、１９ｂに弾力的に接触することにより、仕切本体部１５に直接接触しないように構成されている。
【００３２】
このため、コンピュータユニット１１と第１、第２のＡＣ−ＤＣ変換アダプタ１２ａ、１２ｂとは、図３および図４に示すように、各仕切本体部１５の熱遮断部１７によって断熱されると共に、第１、第２のクッション材１８ａ、１８ｂ、１９ａ、１９ｂによっても断熱されている。これにより、コンピュータユニット１１と第１、第２のＡＣ−ＤＣ変換アダプタ１２ａ、１２ｂとは、各仕切本体部１５と第１、第２のクッション材１８ａ、１８ｂ、１９ａ、１９ｂとによって、発熱体である第１、第２のＡＣ−ＤＣ変換アダプタ１２の熱がコンピュータユニット１１に伝わらないように構成されている。
【００３３】
また、第２の筺体１０の底部には、図３および図４に示すように、第１、第２のＡＣ−ＤＣ変換アダプタ１２ａ、１２ｂで発生した熱を伝導して放熱するための熱伝導路であるシャーシ２０が、第２の筺体１０の下部におけるほぼ全域に亘って設けられている。このシャーシ２０は、鉄、アルミニウム、銅などの熱伝導性の高い金属で形成された金属板であり、第１、第２のＡＣ−ＤＣ変換アダプタ１２ａ、１２ｂで発生した熱を伝導して放熱するように構成されている。
【００３４】
この場合、第１、第２のＡＣ−ＤＣ変換アダプタ１２ａ、１２ｂとシャーシ２０との間には、図３および図４に示すように、第１、第２のＡＣ−ＤＣ変換アダプタ１２ａ、１２ｂの熱をシャーシ２０に伝達するための第１の熱伝導部材２１ａ、２１ｂがそれぞれ設けられている。この第１の熱伝導部材２１ａ、２１ｂは、熱伝導性の高いシートであり、その上面が第１、第２のＡＣ−ＤＣ変換アダプタ１２の下面に接触し、第１の熱伝導部材２１ａ、２１ｂの下面がシャーシ２０の上面に接触した状態で、第１、第２のＡＣ−ＤＣ変換アダプタ１２ａ、１２ｂとシャーシ２０との間に配置されている。
【００３５】
また、シャーシ２０の上面には、図３および図４に示すように、補助放熱部材２２ａ、２２ｂがコンピュータユニット１１の両側面に対して反対側に位置する第１、第２のＡＣ−ＤＣ変換アダプタ１２ａ、１２ｂの各側面に対向した状態で、ビス２２ｃによってそれぞれ取り付けられている。この補助放熱部材２２ａ、２２ｂは、シャーシ２０と同様、鉄、アルミニウム、銅などの熱伝導性の高い金属で形成された金属板であり、第１、第２のＡＣ−ＤＣ変換アダプタ１２ａ、１２ｂで発生した熱を放熱すると共にシャーシ２０に伝導するように構成されている。
【００３６】
この場合、補助放熱部材２２ａ、２２ｂと第１、第２のＡＣ−ＤＣ変換アダプタ１２ａ、１２ｂとの間には、図３および図４に示すように、第１、第２のＡＣ−ＤＣ変換アダプタ１２ａ、１２ｂの熱を補助放熱部材２２ａ、２２ｂに伝達するための第２の熱伝導部材２３ａ、２３ｂがそれぞれ設けられている。この第２の熱伝導部材２３ａ、２３ｂは、第１の熱伝導部材２１ａ、２１ｂと同様、熱伝導性の高いシートであり、その一側面が第１、第２のＡＣ−ＤＣ変換アダプタ１２ａ、１２ｂの側面に接触し、他側面が補助放熱部材２２ａ、２２ｂに接触した状態で、第１、第２のＡＣ−ＤＣ変換アダプタ１２ａ、１２ｂと補助放熱部材２２ａ、２２ｂとの間に配置されている。
【００３７】
また、補助放熱部材２２ａ、２２ｂが対向する第２の筺体１０の両側に位置する各側面部には、図３および図４に示すように、多数の放熱孔２４がそれぞれ設けられている。これら多数の放熱孔２４は、補助放熱部材２２ａ、２２ｂに伝導された第１、第２のＡＣ−ＤＣ変換アダプタ１２ａ、１２ｂの熱、およびシャーシ２０に伝導された第１、第２のＡＣ−ＤＣ変換アダプタ１２ａ、１２ｂの熱を第２の筺体１０の外部に放熱するように構成されている。
【００３８】
一方、コンピュータユニット１１とシャーシ２０との間には、図３および図４に示すように、クッション性を有する断熱部材２５が設けられている。この断熱部材２５は、シリコーンゴムなどの耐熱性および断熱性を有する弾性材料で形成され、コンピュータユニット１１の下面とシャーシ２０の上面との間に配置されている。
【００３９】
このため、この断熱部材２５は、図３および図４に示すように、コンピュータユニット１１がシャーシ２０に接触することなく、シャーシ２０の上面からコンピュータユニット１１を浮かせた状態で配置させるように構成されている。これにより、断熱部材２５は、第１、第２のＡＣ−ＤＣ変換アダプタ１２ａ、１２ｂの熱がシャーシ２０に伝達されて伝導されても、シャーシ２０の熱がコンピュータユニット１１に直接伝わらないように構成されている。
【００４０】
ところで、第１の筺体９内の放熱ファン１３は、図２に示すように、気流を発生させるためのものであり、コンピュータユニット１１の前側上部（図２では左側上部）に配置され、第１の筺体９の外部に気流を発生させるように構成されている。すなわち、この放熱ファン１３は、第１の筐体９の外部に発生させる気流の向きが、所定の方向に対して直交する向き、つまりコンピュータユニット１１を覆う第１の筐体９と第１のＡＣ−ＤＣ変換アダプタ１２ａと第２のＡＣ−ＤＣ変換アダプタ１２ｂとの配列方向に対して直交する向きとなるように配置されている。
【００４１】
この場合、第２の筐体１０には、図２に示すように、放熱ファン１３が発生させる気流の流路を確保するための吸気口２６と排気口２９とが、所定の方向に対して直交する方向、つまりコンピュータユニット１１を覆う第１の筐体９と第１のＡＣ−ＤＣ変換アダプタ１２ａと第２のＡＣ−ＤＣ変換アダプタ１２ｂとの配列方向に対して直交する方向に貫通するように設けられている。すなわち、吸気口２６は、第２の筺体１０の前面に設けられている。排気口２９は、第２の筺体１０の背面に設けられている。
【００４２】
これにより、放熱ファン１３は、図２に示すように、第２の筺体１０の前面に設けられた吸気口２６から第２の筺体１０の外部の空気を第２の筺体１０の内部に取り込み、この取り込んだ空気で第２の筺体１０の内部を冷却し、この冷却した空気を第２の筺体１０の背面に設けられた排気口２９から第２の筺体１０の外部に排気するように構成されている。
【００４３】
また、この放熱ファン１３は、図２に示すように、第１の筺体９内の空気を第１、第２のダクト２７、２８によって第２の筺体１０の背面の排気口２９に送るように構成されている。この場合、第１のダクト２７は、放熱ファン１３の後部（図２では右側）に設けられ、放熱ファン１３で送風された空気を第１の筺体１０の背面側に導くように構成されている。第２のダクト２８は、第１のダクト２７の後部（図２では右側）に設けられ、第１のダクト２７から送り出された空気を第１の筺体９の背面側に送って、第２筺体１０の排気口２９から排気させるように構成されている。
【００４４】
次に、このような電子機器の作用について説明する。
この電子機器を使用する場合には、まず、支持部材２のヒンジ部７を中心にディスプレイユニット１を上下方向に回転させてディスプレイユニット１の向きを調整する。これにより、ディスプレイユニット１における入力表示パネル３の表示パネルに表示された情報を見やすくすると共に、入力表示パネル３のタッチ入力パネルをタッチ操作し易くする。
【００４５】
この状態では、ディスプレイユニット１における入力表示パネル３の表示パネルに表示された情報を見ながら、入力表示パネル３の透明なタッチ入力パネルをタッチ操作することにより、入力表示パネル３の表示パネルの表示を切り替えたり、情報を入力したりして、使用することができる。
【００４６】
このように電子機器を使用している場合には、支持部材２の台座部５における第２の筺体１０内に設けられたコンピュータユニット１１と第１、第２のＡＣ−ＤＣ変換アダプタ１２ａ、１２ｂとが発熱する。この場合、第１、第２のＡＣ−ＤＣ変換アダプタ１２ａ、１２ｂで発熱した熱は、第１、第２の仕切部材１４ａ、１４ｂの各仕切本体部１５に設けられた熱遮断部１７によって、コンピュータユニット１１に伝わることなく遮断される。
【００４７】
すなわち、第１、第２の仕切部材１４ａ、１４ｂの各仕切本体部１５は、コンピュータユニット１１を覆う第１筺体９の両側面に対応する各回路仕切部１５ａと、第１、第２のＡＣ−ＤＣ変換アダプタ１２ａ、１２ｂの各側面に対応する各アダプタ仕切部１５ｂと、各回路仕切部１５ａおよび各アダプタ仕切部１５ｂの各下端部同士をそれぞれ連結する各下部仕切部１５ｃとで構成されている。これにより、第１、第２の仕切部材１４ａ、１４ｂの各仕切本体部１５は、回路仕切部１５ａ、アダプタ仕切部１５ｂおよび下部仕切部１５ｃで囲われた各空間が、それぞれ熱遮断部１７として形成されている。
【００４８】
このように第１、第２の仕切部材１４ａ、１４ｂの各仕切本体部１５にそれぞれ形成された各熱遮断部１７は、回路仕切部１５ａ、アダプタ仕切部１５ｂおよび下部仕切部１５ｃで囲われた各空間がそれぞれ空気層を形成していることにより、この空気層である熱遮断部１７によって第１、第２のＡＣ−ＤＣ変換アダプタ１２ａ、１２ｂで発生した熱がコンピュータユニット１１に伝わらないように遮断される。
【００４９】
この場合、第１、第２の仕切部材１４ａ、１４ｂの各仕切本体部１５の回路仕切部１５ａとコンピュータユニット１１との間には、第１のクッション材１８ａ、１８ｂがそれぞれ配置されているので、コンピュータユニット１１が第１、第２の仕切部材１４ａ、１４ｂの各仕切本体部１５に直接接触することがない。
【００５０】
また、第１、第２の仕切部材１４ａ、１４ｂの各仕切本体部１５のアダプタ仕切部１５ｂと第１、第２のＡＣ−ＤＣ変換アダプタ１２ａ、１２ｂとの間には、第２のクッション材１９ａ、１９ｂがそれぞれ配置されているので、第１、第２のＡＣ−ＤＣ変換アダプタ１２ａ、１２ｂが第１、第２の仕切部材１４ａ、１４ｂの各仕切本体部１５に直接接触することがない。
【００５１】
このため、これら第１のクッション材１８ａ、１８ｂと第２のクッション材１９ａ、１９ｂとによっても、第１、第２のＡＣ−ＤＣ変換アダプタ１２ａ、１２ｂで発生した熱がコンピュータユニット１１に伝わらないように遮断される。
【００５２】
一方、第１、第２のＡＣ−ＤＣ変換アダプタ１２ａ、１２ｂで発生した熱のうち、一部の熱は、第１、第２のＡＣ−ＤＣ変換アダプタ１２ａ、１２ｂの下部とシャーシ２０との間にそれぞれ配置された第１の熱伝導部材２１ａ、２１ｂによって、シャーシ２０に伝達され、この伝達された熱がシャーシ２０全体に伝導されて放熱される。また、第１、第２のＡＣ−ＤＣ変換アダプタ１２ａ、１２ｂで発生した熱の他の一部は、第１、第２のＡＣ−ＤＣ変換アダプタ１２ａ、１２ｂの側面とこれに対向する補助放熱部材２２ａ、２２ｂとの間にそれぞれ配置された第２の熱伝導部材２３ａ、２３ｂによって、補助放熱部材２２ａ、２２ｂに伝達される。
【００５３】
この補助放熱部材２２ａ、２２ｂに伝達された第１、第２のＡＣ−ＤＣ変換アダプタ１２ａ、１２ｂの熱は、補助放熱部材２２ａ、２２ｂで放熱されると共に、この補助放熱部材２２ａ、２２ｂによってシャーシ２０に伝達される。このため、補助放熱部材２２ａ、２２ｂで放熱された熱、およびシャーシ２０に伝達された熱の一部は、第２の筺体１０の左右両側に位置する各側面部にそれぞれ設けられた放熱孔２４から第２の筺体１０の外部に放熱される。
【００５４】
この場合、第１、第２のＡＣ−ＤＣ変換アダプタ１２ａ、１２ｂで発生した熱の一部は、シャーシ２０で伝導されるが、コンピュータユニット１１を覆う第１の筺体９とシャーシ２０との間に設けられたクッション性を有する断熱部材２５によって、シャーシ２０で伝導された熱がコンピュータユニット１１に伝わらないように遮断される。すなわと、コンピュータユニット１１を覆う第１の筺体９は、断熱部材２５によってシャーシ２０に接触することがなく、シャーシ２０の上面から浮いた状態で配置されているので、シャーシ２０の熱がコンピュータユニット１１に直接伝わることがない。
【００５５】
また、このように電子機器を使用している場合には、放熱ファン１３が回転して、第１の筺体９の外部に気流を発生させ、第１の筺体９内の熱および第２の筺体１０内の熱を第２の筺体１０の外部に排出させることにより、コンピュータユニット１１および、第１、第２のＡＣ−ＤＣ変換アダプタ１２ａ、１２ｂを冷却する。すなわち、この放熱ファン１３は、第２の筺体１０の前面に設けられた吸気口２６から第２の筺体１０の外部の空気を第２の筺体１０の内部に取り込み、この取り込んだ空気で第２の筺体１０の内部を冷却する。
【００５６】
また、このときには、放熱ファン１３で送風された空気が第１のダクト２７を経て第２のダクト２８に導かれ、この第２のダクト２８に導かれた空気が第２の筺体１０の背面に設けられた排気口２９から第２の筺体１０の外部に排出される。これにより、第１の筺体９と第２の筺体１０との各内部が放熱ファン１３によって冷却される。
【００５７】
このように、この電子機器によれば、第１のＡＣ−ＤＣ変換アダプタ１２ａを介して電源が供給されるディスプレイユニット１と、第２のＡＣ−ＤＣ変換アダプタ１２ｂを介して電源が供給されるとともに第１の筐体９に覆われたコンピュータユニット１１と、少なくとも第１、第２のＡＣ−ＤＣ変換アダプタ１２ａ、１２ｂと第１の筐体９とを収納する第２の筐体１０と、を備え、第１の筐体９が第１、第２のＡＣ−ＤＣ変換アダプタ１２ａ、１２ｂ間に位置するように、第１の筐体９と第１、第２のＡＣ−ＤＣ変換アダプタ１２ａ、１２ｂとが所定の方向に並べて配置され、且つ、第１の筐体９が所定の熱伝導路であるシャーシ２０上に所定の断熱部材２５を介して配置され、且つ、第１、第２のＡＣ−ＤＣ変換アダプタ１２ａ、１２ｂがシャーシ２０に接触するように配置されていることにより、コンピュータユニット１１が第１、第２のＡＣ−ＤＣ変換アダプタ１２ａ、１２ｂによる熱の影響を受けないようにすることができる。
【００５８】
また、この電子機器では、第１の筐体９の内部に配置されるとともに気流を発生させる放熱ファン１３を備え、第１の筐体９は、放熱ファン１３が第１の筐体９の外部に発生させる気流の向きを、所定の方向に対して直交する向き、つまり第１の筐体９と第１、第２のＡＣ−ＤＣ変換アダプタ１２ａ、１２ｂとの配列方向に対して直交する向きとなるように配置されていることにより、コンピュータユニット１１および第１、第２のＡＣ−ＤＣ変換アダプタ１２ａ、１２ｂで発生した熱を放熱ファン１３によって効率良く確実に放熱させることができる。
【００５９】
この場合、第２の筐体１０は、放熱ファン１３が発生させる気流の流路を確保するための吸気口２６と排気口２９とが、所定の方向に対して直交する方向、つまり第１の筐体９と第１、第２のＡＣ−ＤＣ変換アダプタ１２ａ、１２ｂとの配列方向に対して直交する方向に貫通するよう設けられていることにより、第２の筺体１０の外部の空気を吸気口２６から第２の筺体１０の内部に取り込み、第２の筺体１０内の空気を排気口２９から第２の筺体１０の外部に排出する際に、第２の筺体１０内の空気を効率良く流通させることができ、これによりコンピュータユニット１１および第１、第２のＡＣ−ＤＣ変換アダプタ１２ａ、１２ｂで発生した熱を確実に放熱させることができる。
【００６０】
また、第１の筺体９の内部には、放熱ファン１３によって第１の筺体９内の空気が送り込まれる第１のダクト２７と、この第１のダクト２７から送り出された空気を第１の筺体９の背面側に送る第２のダクト２８とが設けられているので、第１の筺体９内の熱を放熱ファン１３によって第１のダクト２７を経て第２のダクト２８に導き、この導かれた熱を第２の筺体１０の排気口２９から第２の筺体１０の外部に排出することができ、これにより第１の筺体９の内部を確実にかつ良好に冷却することができる。
【００６１】
また、この電子機器では、第２の筺体１０に第１、第２のＡＣ−ＤＣ変換アダプタ１２ａ、１２ｂの熱を伝導して放熱するための熱伝導路である熱伝導性の高いシャーシ２０が設けられていることにより、第１、第２のＡＣ−ＤＣ変換アダプタ１２ａ、１２ｂで発生した熱をシャーシ２０に伝えることができると共に、このシャーシ２０に伝わった熱をシャーシ２０で伝導することができるので、第１、第２のＡＣ−ＤＣ変換アダプタ１２ａ、１２ｂで発生した熱をシャーシ２０全体で良好に放熱させることができる。
【００６２】
この場合、第１、第２のＡＣ−ＤＣ変換アダプタ１２ａ、１２ｂとシャーシ２０との間には、第１、第２のＡＣ−ＤＣ変換アダプタ１２ａ、１２ｂの熱をシャーシ２０に伝達する第１の熱伝導部材２１ａ、２１ｂが設けられていることにより、第１、第２のＡＣ−ＤＣ変換アダプタ１２ａ、１２ｂで発生した熱を、第１の熱伝導部材２１ａ、２１ｂによってシャーシ２０に確実にかつ良好に伝達することができ、これにより第１、第２のＡＣ−ＤＣ変換アダプタ１２ａ、１２ｂで発生した熱をシャーシ２０によって良好に伝導して放熱させることができる。
【００６３】
また、この電子機器では、シャーシ２０に設けられ、コンピュータユニット１１と反対側に位置する第１、第２のＡＣ−ＤＣ変換アダプタ１２ａ、１２ｂの側面に対向して配置され、第１、第２のＡＣ−ＤＣ変換アダプタ１２ａ、１２ｂの熱を放熱すると共に、シャーシ２０に伝達する熱伝導性の高い補助放熱部材２２ａ、２２ｂを備えていることにより、第１、第２のＡＣ−ＤＣ変換アダプタ１２ａ、１２ｂで発熱した熱を補助放熱部材２２ａ、２２ｂで放熱することができると共に、この補助放熱部材２２ａ、２２ｂによってシャーシ２０に伝達することができる。
【００６４】
この場合、補助放熱部材２２ａ、２２ｂと第１、第２のＡＣ−ＤＣ変換アダプタ１２ａ、１２ｂとの間に配置され、第１、第２のＡＣ−ＤＣ変換アダプタ１２ａ、１２ｂの熱を補助放熱部材２２ａ、２２ｂに伝達する第２の熱伝導部材２３ａ、２３ｂを備えていることにより、第１、第２のＡＣ−ＤＣ変換アダプタ１２ａ、１２ｂで発生した熱を、第２の熱伝導部材２３ａ、２３ｂによって補助放熱部材２２ａ、２２ｂに確実にかつ良好に伝達することができ、これにより第１、第２のＡＣ−ＤＣ変換アダプタ１２ａ、１２ｂで発生した熱を補助放熱部材２２ａ、２２ｂによって良好に放熱させることができると共に、シャーシ２０に伝達することができる。
【００６５】
また、補助放熱部材２２ａ、２２ｂが対向する第２の筺体１０の両側に位置する各側面部には、多数の放熱孔２４が設けられていることにより、補助放熱部材２２ａ、２２ｂに伝導された第１、第２のＡＣ−ＤＣ変換アダプタ１２ａ、１２ｂの熱、およびシャーシ２０に伝導された第１、第２のＡＣ−ＤＣ変換アダプタ１２ａ、１２ｂの熱を、多数の放熱孔２４から第２の筺体１０の外部に良好に放熱することができる。
【００６６】
また、この電子機器では、コンピュータユニット１１とシャーシ２０との間に設けられ、コンピュータユニット１１とシャーシ２０との間で熱を遮断するクッション性を有する断熱部材２５を備えていることにより、第１、第２のＡＣ−ＤＣ変換アダプタ１２ａ、１２ｂの熱がシャーシ２０に伝達されて導かれても、断熱部材２５によってシャーシ２０の熱がコンピュータユニット１１に伝わらないように、シャーシ２０の熱を確実にかつ良好に遮断することができる。
【００６７】
すなわち、断熱部材２５は、シリコーンゴムなどの耐熱性および断熱性を有する弾性材料で形成され、コンピュータユニット１１の下面とシャーシ２０の上面との間に配置されていることにより、コンピュータユニット１１がシャーシ２０に接触することがなく、断熱部材２５によってコンピュータユニット１１をシャーシ２０の上面から浮かせた状態で配置することができ、これによりシャーシ２０の熱がコンピュータユニット１１に直接伝わらないようにすることができる。
【００６８】
さらに、この電子機器では、コンピュータユニット１１を覆う第１の筐体９と第１のＡＣ−ＤＣ変換アダプタ１２ａとの間に設けられた第１の仕切部材１４ａと、第１の筐体９と第２のＡＣ−ＤＣ変換アダプタ１２ｂとの間に設けられた第２の仕切部材１４ｂと、を備えていることにより、第１、第２の仕切部材１４ａ、１４ｂによって第１、第２のＡＣ−ＤＣ変換アダプタ１２ａ、１２ｂとコンピュータユニット１１との間で熱を遮断することができ、これによってもコンピュータユニット１１が第１、第２のＡＣ−ＤＣ変換アダプタ１２ａ、１２ｂによる熱の影響を受けないようにすることができる。
【００６９】
この場合、第１、第２の仕切部材１４ａ、１４ｂは、第１、第２のＡＣ−ＤＣ変換アダプタ１２ａ、１２ｂとコンピュータユニット１１との間に位置する仕切本体部１５を備え、この仕切本体部１５が、コンピュータユニット１１の側面に対応する回路仕切部１５ａと、第１、第２のＡＣ−ＤＣ変換アダプタ１２ａ、１２ｂの側面に対応するアダプタ仕切部１５ｂと、回路仕切部１５ａおよびアダプタ仕切部１５ｂの各下端部を連結する下部仕切部１５ｃとで構成されていることにより、これら回路仕切部１５ａ、アダプタ仕切部１５ｂおよび下部仕切部１５ｃで囲われた空間を、熱遮断部１７として形成することができるので、簡単な構造で、第１、第２のＡＣ−ＤＣ変換アダプタ１２ａ、１２ｂとコンピュータユニット１１との間で熱を遮断することができる。
【００７０】
また、仕切本体部１５に設けられた熱遮断部１７は、回路仕切部１５ａ、アダプタ仕切部１５ｂおよび下部仕切部１５ｃで囲われた空間が空気層として形成され、この空気層によって熱遮断部１７が形成されていることにより、第１、第２のＡＣ−ＤＣ変換アダプタ１２ａ、１２ｂとコンピュータユニット１１との間でその両方の熱を確実に遮断することができる。このため、第１、第２のＡＣ−ＤＣ変換アダプタ１２ａ、１２ｂで発生した熱がコンピュータユニット１１に伝わらないように、第１、第２のＡＣ−ＤＣ変換アダプタ１２ａ、１２ｂで発生した熱を確実にかつ良好に遮断することができる。
【００７１】
この場合、仕切本体部１５の回路仕切部１５ａとコンピュータユニット１１との間には、第１のクッション材１８ａ、１８ｂが配置されているので、コンピュータユニット１１を第１のクッション材１８ａ、１８ｂに弾力的に接触させることができる。このため、第１のクッション材１８ａ、１８ｂによってコンピュータユニット１１を傷付けずに保護することができると共に、コンピュータユニット１１が仕切本体部１５に直接接触することがないので、これによってもコンピュータユニット１１と仕切本体部１５との間で熱を断熱することができる。
【００７２】
同様に、仕切本体部１５のアダプタ仕切部１５ｂと第１、第２のＡＣ−ＤＣ変換アダプタ１２ａ、１２ｂとの間には、第２のクッション材１９ａ、１９ｂが配置されているので、第１、第２のＡＣ−ＤＣ変換アダプタ１２ａ、１２ｂを第２のクッション材１９ａ、１９ｂに弾力的に接触させることができる。このため、第２のクッション材１９ａ、１９ｂによって第１、第２のＡＣ−ＤＣ変換アダプタ１２ａ、１２ｂを傷付けずに保護することができると共に、第１、第２のＡＣ−ＤＣ変換アダプタ１２ａ、１２ｂが仕切本体部１５に直接接触することがないので、これによっても第１、第２のＡＣ−ＤＣ変換アダプタ１２ａ、１２ｂと仕切本体部１５との間で熱を断熱することができる。
【００７３】
これにより、第１、第２のＡＣ−ＤＣ変換アダプタ１２ａ、１２ｂとコンピュータユニット１１とは、仕切本体部１５とコンピュータユニット１１との間に配置された第１のクッション材１８ａ、１８ｂと、仕切本体部１５と第１、第２のＡＣ−ＤＣ変換アダプタ１２ａ、１２ｂとの間に配置された第２のクッション材１９ａ、１９ｂとによっても、第１、第２のＡＣ−ＤＣ変換アダプタ１２ａ、１２ｂとコンピュータユニット１１との間でその両方の熱を遮断することができるので、第１、第２のＡＣ−ＤＣ変換アダプタ１２ａ、１２ｂで発生した熱がコンピュータユニット１１に伝わらないように、第１、第２のＡＣ−ＤＣ変換アダプタ１２ａ、１２ｂで発生した熱を、より一層、確実にかつ良好に遮断することができる。
【００７４】
なお、上述した実施形態では、第２の筺体１０の左右方向における両側の各側面部に放熱孔２４を設けた場合について述べたが、この発明はこれに限らず、例えば第２の筺体１０の上面部にも放熱孔を設けても良い。
【００７５】
また、上述した実施形態では、第１、第２の発熱体が第１、第２のＡＣ−ＤＣ変換アダプタ１２ａ、１２ｂである場合について述べたが、この発明は、必ずしも第１、第２の発熱体が第１、第２のＡＣ−ＤＣ変換アダプタ１２ａ、１２ｂである必要はなく、例えば電源回路などの発熱する電子部品であれば、どのようなものであっても良い。
【００７６】
さらに、上述した実施形態では、パーソナルコンピュータなどのデータ処理装置である電子機器に適用した場合について述べたが、この発明はこれに限らず、発熱体を備えたものであれば、電子レジスタなどの各種の電子機器に広く適用することができる。
【００７７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７８】
（付記）
請求項１に記載の発明は、第１の発熱体を介して電源が供給される第１の回路ユニットと、第２の発熱体を介して電源が供給されるとともに第１の筐体に覆われた第２の回路ユニットと、少なくとも前記第１の発熱体と前記第２の発熱体と前記第１の筐体とを収納する第２の筐体と、を備え、
前記第１の筐体が前記第１の発熱体と前記第２の発熱体との間に位置するように前記第１の筐体と前記第１の発熱体と前記第２の発熱体とが所定の方向に並べて配置され、且つ、前記第１の筐体が所定の熱伝導路上に所定の断熱部材を介して配置され、且つ、前記第１の発熱体と前記第２の発熱体とが前記熱伝導路に接触するように配置されていることを特徴とする電子機器である。
【００７９】
請求項２に記載の発明は、前記第１の筐体の内部に配置されるとともに気流を発生させるファンを備え、前記第１の筐体は、前記ファンが前記第１の筐体外に発生させる気流の向きが前記所定の方向に対して直交する向きとなるように配置されていることを特徴とする請求項１に記載の電子機器である。
【００８０】
請求項３に記載の発明は、前記第２の筐体は、前記ファンが発生させる気流の流路を確保するための吸気口と排気口とが、前記所定の方向に対して直交する方向に貫通するよう設けられていることを特徴とする請求項２に記載の電子機器である。
【００８１】
請求項４に記載の発明は、前記第２の筐体の少なくとも一部が前記熱伝導路として構成されていることを特徴とする請求項１から３の何れかに記載の電子機器である。
【００８２】
請求項５に記載の発明は、前記第１の発熱体または前記第２の発熱体はＡＣ−ＤＣ変換アダプタとして構成されていることを特徴とする請求項１から４の何れかに記載の電子機器である。
【００８３】
請求項６に記載の発明は、前記第１の筐体と前記第１の発熱体との間に設けられた第１の仕切部材と、前記第１の筐体と前記第２の発熱体との間に設けられた第２の仕切部材と、を備えたことを特徴とする請求項１から５の何れかに記載の電子機器である。
【００８４】
請求項７に記載の発明は、第１のＡＣ−ＤＣ変換アダプタを介して電源が供給されるディスプレイユニットと、第２のＡＣ−ＤＣ変換アダプタを介して電源が供給されるとともに第１の筐体に覆われたコンピュータユニットと、少なくとも前記第１のＡＣ−ＤＣ変換アダプタと前記第２のＡＣ−ＤＣ変換アダプタと前記第１の筐体とを収納する第２の筐体と、を備え、
前記第１の筐体が前記第１のＡＣ−ＤＣ変換アダプタと前記第２のＡＣ−ＤＣ変換アダプタとの間に位置するように前記第１の筐体と前記第１のＡＣ−ＤＣ変換アダプタと前記第２のＡＣ−ＤＣ変換アダプタとが所定の方向に並べて配置され、且つ、前記第１の筐体が所定の熱伝導路上に所定の断熱部材を介して配置され、且つ、前記第１のＡＣ−ＤＣ変換アダプタと前記第２のＡＣ−ＤＣ変換アダプタとが前記熱伝導路に接触するように配置されていることを特徴とする電子機器である。
【符号の説明】
【００８５】
１  ディスプレイユニット
２  支持部材
５  台座部
９  第１の筺体
１０  第２の筺体
１１  コンピュータユニット
１２ａ  第１のＡＣ―ＤＣ変換アダプタ
１２ｂ  第２のＡＣ―ＤＣ変換アダプタ
１３  放熱ファン
１４ａ、１４ｂ  第１、第２の仕切部材
１５  仕切本体部
１５ａ  回路仕切部
１５ｂ  アダプタ仕切部
１５ｃ  下部仕切部
１７  熱遮断部
１８ａ、１８ｂ  第１のクッション材
１９ａ、１９ｂ  第２のクッション材
２０  シャーシ
２１ａ、２１ｂ  第１の熱伝導部材
２２ａ、２２ｂ  補助放熱部材
２３ａ、２３ｂ  第２の熱伝導部材
２４  放熱孔
２５  断熱部材
２６  吸気口
２７、２８  第１、第２のダクト
２９  排気口
【図１】
2019220225.tif 000003
【図２】
2019220225.tif 000004
【図３】
2019220225.tif 000005
【図４】
2019220225.tif 000006
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
第１の発熱体と第２の発熱体との間に介在するように配置された回路ユニットと、
所定の一面を有するとともに、当該一面に前記第１の発熱体と前記第２の発熱体と前記回路ユニットとが所定の一方向に並ぶように配置された熱伝導部材と、
前記熱伝導部材に蓄えられた熱を当該熱伝導部材の前記一方向における両端から外部に放熱する放熱機構と、
を備えることを特徴とする電子機器。
【請求項２】
前記放熱機構は、前記熱伝導部材を覆う筐体における前記両端に対応する箇所に設けられる放熱孔である、
ことを特徴とする請求項１に記載の電子機器。
【請求項３】
前記回路ユニットは、断熱部材を介して前記熱伝導部材の前記一面に配置される一方で、前記第１の発熱体及び前記第２の発熱体は、前記断熱部材を介さずに前記熱伝導部材の前記一面に配置される、
ことを特徴とする請求項１または２に記載の電子機器。
【請求項４】
前記回路ユニットと前記第１の発熱体との間及び前記回路ユニットと前記２の発熱体との間には熱遮断部がそれぞれに設けられる、
ことを特徴とする請求項１から３の何れか一項に記載の電子機器。
【請求項５】
第１のＡＣ−ＤＣ変換アダプタと第２のＡＣ−ＤＣ変換アダプタとの間に介在するように配置されたコンピュータユニットと、
所定の一面を有するとともに、当該一面に第１のＡＣ−ＤＣ変換アダプタと前記第２のＡＣ−ＤＣ変換アダプタと前記コンピュータユニットとが所定の一方向に並ぶように配置された熱伝導部材と、
前記熱伝導部材に蓄えられた熱を当該熱伝導部材の前記一方向における両端から外部に放熱する放熱機構と、
を備えることを特徴とする電子機器。
【手続補正２】
【補正対象書類名】明細書
【補正対象項目名】０００７
【補正方法】変更
【補正の内容】
【０００７】
この発明は、第１の発熱体と第２の発熱体との間に介在するように配置された回路ユニットと、
所定の一面を有するとともに、当該一面に前記第１の発熱体と前記第２の発熱体と前記回路ユニットとが所定の一方向に並ぶように配置された熱伝導部材と、
前記熱伝導部材に蓄えられた熱を当該熱伝導部材の前記一方向における両端から外部に放熱する放熱機構と、
を備えることを特徴とする電子機器である。